(57)【要約】      （修正有）【課題】フレキシブルコンテナバッグに収容した被処理物を効率よく大量に処理することを可能にするフレキシブルコンテナバッグに収容した被処理物の処理システム及び処理方法を提供する。【解決手段】不燃物の被処理物Ｓ１、可燃物の非処理物Ｓ２を収容した複数のフレキシブルコンテナバッグ１をそれぞれ吊り下げながら順次搬入領域と解袋領域と破砕領域との間で搬送するための搬送装置２と、搬送装置２で解袋領域に搬送されるとともに、フレキシブルコンテナバッグ１を切り開く解袋装置３と、搬送装置２で破砕領域に搬送されるとともに、搬送装置２からフレキシブルコンテナバッグ１を受け入れ、フレキシブルコンテナバッグ１ごと被処理物Ｓ２を破砕する破砕装置４とを備える。【選択図】図１
2015155882.tif 000002
【特許請求の範囲】
【請求項１】
フレキシブルコンテナバッグに収容した被処理物を処理するシステムであって、
被処理物を収容した複数のフレキシブルコンテナバッグをそれぞれ吊り下げながら順次搬入領域と解袋領域と破砕領域との間で搬送するための搬送装置と、
前記搬送装置で前記解袋領域に搬送されるとともに、前記フレキシブルコンテナバッグを切り開く解袋装置と、
前記搬送装置で前記破砕領域に搬送されるとともに、前記搬送装置から前記フレキシブルコンテナバッグを受け入れ、前記フレキシブルコンテナバッグごと前記被処理物を破砕する破砕装置とを備えていることを特徴とするフレキシブルコンテナバッグに収容した被処理物の処理システム。
【請求項２】
請求項１記載のフレキシブルコンテナバッグに収容した被処理物の処理システムにおいて、
前記搬送装置が、前記搬入領域から前記解袋領域、前記解袋領域から前記破砕領域、前記破砕領域から前記搬入領域に連続する搬送軌道を備えて構成されていることを特徴とするフレキシブルコンテナバッグに収容した被処理物の処理システム。
【請求項３】
請求項１または請求項２に記載のフレキシブルコンテナバッグに収容した被処理物の処理システムにおいて、
前記解袋装置が、前記フレキシブルコンテナバッグの下端側に水平方向に切れ目を入れて前記フレキシブルコンテナバッグを切り開く解袋手段を有する解袋機、又は前記フレキシブルコンテナバッグの底部に切れ目を入れて前記フレキシブルコンテナバッグを切り開く解袋手段を有する解袋機を備えて構成されていることを特徴とするフレキシブルコンテナバッグに収容した被処理物の処理システム。
【請求項４】
請求項１から請求項３のいずれか一項に記載のフレキシブルコンテナバッグに収容した被処理物の処理システムにおいて、
前記搬送装置で吊り下げて搬送されている前記フレキシブルコンテナバッグの下端に当接し、前記フレキシブルコンテナバッグを搬送させつつ支持する搬送支持部と、前記搬送支持部及び前記搬送装置で支持された前記フレキシブルコンテナバッグを切り開く解袋手段を有する解袋機とを備えて構成されていることを特徴とするフレキシブルコンテナバッグに収容した被処理物の処理システム。
【請求項５】
請求項１から請求項４のいずれか一項に記載のフレキシブルコンテナバッグに収容した被処理物の処理システムにおいて、
収容されている前記被処理物の種類に応じて前記フレキシブルコンテナバッグに目印が付されており、
前記目印によって前記被処理物の種類を識別し、前記搬送装置で搬送される前記複数のフレキシブルコンテナバッグを前記被処理物の種類に応じて前記解袋装置と前記破砕装置のいずれかで選択的に処理するように制御する制御装置を備えていることを特徴とするフレキシブルコンテナバッグに収容した被処理物の処理システム。
【請求項６】
請求項３から請求項５のいずれか一項に記載のフレキシブルコンテナバッグに収容した被処理物の処理システムにおいて、
前記解袋装置が、前記フレキシブルコンテナバッグの底部に十字状の切れ目を入れて前記フレキシブルコンテナバッグを切り開くように構成されていることを特徴とするフレキシブルコンテナバッグに収容した被処理物の処理システム。
【請求項７】
請求項１から請求項６のいずれか一項に記載のフレキシブルコンテナバッグに収容した被処理物の処理システムにおいて、
前記搬送装置には、前記フレキシブルコンテナバッグにおける前記被処理物の排出部分に、前記フレキシブルコンテナバッグの搬送方向に向けて下がる段差部が形成されていることを特徴とするフレキシブルコンテナバッグに収容した被処理物の処理システム。
【請求項８】
請求項１から請求項７のいずれか一項に記載のフレキシブルコンテナバッグに収容した被処理物の処理システムにおいて、
前記フレキシブルコンテナバッグの搬送方向に交差する方向に沿う障害物が設けられていることを特徴とするフレキシブルコンテナバッグに収容した被処理物の処理システム。
【請求項９】
請求項１から請求項８のいずれか一項に記載のフレキシブルコンテナバッグに収容した被処理物の処理システムにおいて、
前記搬送装置のうち前記被処理物の排出部分の下方には、下り傾斜を有する傾斜搬送装置が設けられていることを特徴とするフレキシブルコンテナバッグに収容した被処理物の処理システム。
【請求項１０】
フレキシブルコンテナバッグに収容した被処理物を処理する方法であって、
被処理物を収容した複数のフレキシブルコンテナバッグを搬送装置で吊り下げながら順次搬入領域と解袋領域と破砕領域との間で搬送させ、
前記解袋領域に搬送されるとともに、前記フレキシブルコンテナバッグを切り開いて前記被処理物を前記フレキシブルコンテナバッグから取り出し、
前記破砕領域に搬送されるとともに、前記フレキシブルコンテナバッグを前記搬送装置から受け入れ、前記フレキシブルコンテナバッグとともに前記被処理物を破砕して、
前記複数のフレキシブルコンテナバッグに収容した被処理物を前記解袋領域と前記破砕領域のいずれかで連続的に処理することを特徴とするフレキシブルコンテナバッグに収容した被処理物の処理方法。
【請求項１１】
請求項１０記載のフレキシブルコンテナバッグに収容した被処理物の処理方法において、
請求項１から請求項９のいずれか一項に記載のフレキシブルコンテナバッグに収容した被処理物の処理システムを用いて、フレキシブルコンテナバッグに収容した被処理物を処理することを特徴とするフレキシブルコンテナバッグに収容した被処理物の処理方法。
【発明の詳細な説明】
【技術分野】
【０００１】
本発明は、例えば放射性物質に汚染された被処理物をフレキシブルコンテナバッグに収容し、これを処理する際に用いて好適なフレキシブルコンテナバッグに収容した被処理物の処理システム及び処理方法に関する。
【背景技術】
【０００２】
従来、建設分野などでは、各種廃棄物などの被処理物を収容する手段としてフレキシブルコンテナバッグが多用されている。そして、例えば廃棄物を不燃物や可燃物に仕分けしながらそれぞれフレキシブルコンテナバッグに収容し、これら仕分けした廃棄物をフレキシブルコンテナバッグに収容した状態で処理場に運び、保管・処理するようにしている（例えば、特許文献１参照）。
【０００３】
また、例えば、フレキシブルコンテナバッグに収容して搬入された不燃物（被処理物）を処理場で処理する際には、フレキシブルコンテナバッグを吊り下げ、作業者がフレキシブルコンテナバッグの下側を切り裂き、不燃物の被処理物を落下させて取り出し、適宜分別処理などするようにしている。切り裂いたフレキシブルコンテナバッグは可燃物として処理される。
【０００４】
一方、フレキシブルコンテナバッグに収容して搬入された可燃物（被処理物）を処理する際には、フレキシブルコンテナバッグに収容した状態のまま、大型破砕機に投入して破砕し、適宜焼却処理などするようにしている。
【先行技術文献】
【特許文献】
【０００５】
【特許文献１】特開２０１３−１３０４０３号公報
【発明の概要】
【発明が解決しようとする課題】
【０００６】
ここで、例えば、放射性物質で汚染された土地を除染する際には、土砂や落葉・落枝、草木などの放射性物質を含む汚染物が大量に発生し、この汚染物（被処理物）をフレキシブルコンテナバッグに詰めて仮置き保管する。そして、汚染物をフレキシブルコンテナバッグに詰めた状態で中間貯蔵施設の受入・分別施設（処理場）に運び、搬入したフレキシブルコンテナバッグを解袋して、その中身を取り出すことになる。
【０００７】
このとき、被処理物が放射性物質を含む汚染物であるため、フレキシブルコンテナバッグを解袋して被処理物を取り出す際には、短時間でその作業を行うことが重要である。また、被処理物を収容した大量のフレキシブルコンテナバッグが搬入されてくるため、順次迅速にこれを処理してゆくことが求められる。
しかしながら、短時間でフレキシブルコンテナバッグを解袋して被処理物を取り出す手段、被処理物を収容した大量のフレキシブルコンテナバッグを効率よく処理する手段がないのが現状である。
【０００８】
なお、例えば、上記従来のように人力でフレキシブルコンテナバッグを切り裂いて汚染物（被処理物）を取り出すことは、外部被ばくのおそれがあり、また、作業効率が低い。
【０００９】
また、被処理物を収容したフレキシブルコンテナバッグごと破砕処理する大型破砕機は、被処理物に合わせて破砕刃や駆動トルクなどを選定・設定することが必要で、除染作業で発生した一様でない被処理物を収容したフレキシブルコンテナバッグを処理する際もこの破砕刃や駆動トルクなどを選定・設定が必要になる。
【００１０】
本発明は、上記事情に鑑み、フレキシブルコンテナバッグに収容した被処理物を効率よく大量に処理することを可能にするフレキシブルコンテナバッグに収容した被処理物の処理システム及び処理方法を提供することを目的とする。
【課題を解決するための手段】
【００１１】
上記の目的を達するために、この発明は以下の手段を提供している。
【００１２】
本発明のフレキシブルコンテナバッグに収容した被処理物の処理システムは、フレキシブルコンテナバッグに収容した被処理物を処理するシステムであって、被処理物を収容した複数のフレキシブルコンテナバッグをそれぞれ吊り下げながら順次搬入領域と解袋領域と破砕領域との間で搬送するための搬送装置と、前記搬送装置で前記解袋領域に搬送されるとともに、前記フレキシブルコンテナバッグを切り開く解袋装置と、前記搬送装置で前記破砕領域に搬送されるとともに、前記搬送装置から前記フレキシブルコンテナバッグを受け入れ、前記フレキシブルコンテナバッグごと前記被処理物を破砕する破砕装置とを備えていることを特徴とする。
【００１３】
また、本発明のフレキシブルコンテナバッグに収容した被処理物の処理システムにおいては、前記搬送装置が、前記搬入領域から前記解袋領域、前記解袋領域から前記破砕領域、前記破砕領域から前記搬入領域に連続する搬送軌道を備えて構成されていることが望ましい。
【００１４】
さらに、本発明のフレキシブルコンテナバッグに収容した被処理物の処理システムにおいては、前記解袋装置が、前記フレキシブルコンテナバッグの下端側に水平方向に切れ目を入れて前記フレキシブルコンテナバッグを切り開く解袋手段を有する解袋機、又は前記フレキシブルコンテナバッグの底部に切れ目を入れて前記フレキシブルコンテナバッグを切り開く解袋手段を有する解袋機を備えて構成されていることがより望ましい。
【００１５】
また、本発明のフレキシブルコンテナバッグに収容した被処理物の処理システムにおいては、前記搬送装置で吊り下げて搬送されている前記フレキシブルコンテナバッグの下端に当接し、前記フレキシブルコンテナバッグを搬送させつつ支持する搬送支持部と、前記搬送支持部及び前記搬送装置で支持された前記フレキシブルコンテナバッグを切り開く解袋手段を有する解袋機とを備えて構成されていることがさらに望ましい。
【００１６】
さらに、本発明のフレキシブルコンテナバッグに収容した被処理物の処理システムにおいては、収容されている前記被処理物の種類に応じて前記フレキシブルコンテナバッグに目印が付されており、前記目印によって前記被処理物の種類を識別し、前記搬送装置で搬送される前記複数のフレキシブルコンテナバッグを前記被処理物の種類に応じて前記解袋装置と前記破砕装置のいずれかで選択的に処理するように制御する制御装置を備えていることが望ましい。
【００１７】
また、本発明のフレキシブルコンテナバッグに収容した被処理物の処理システムにおいては、前記解袋装置が、前記フレキシブルコンテナバッグの底部に十字状の切れ目を入れて前記フレキシブルコンテナバッグを切り開くように構成されていることがより望ましい。
【００１８】
また、本発明のフレキシブルコンテナバッグに収容した被処理物の処理システムにおいては、収容されている前記被処理物の種類に応じて前記フレキシブルコンテナバッグに目印が付されており、前記目印によって前記被処理物の種類を識別し、前記搬送装置で搬送される前記複数のフレキシブルコンテナバッグを前記被処理物の種類に応じて前記解袋装置と前記破砕装置のいずれかで選択的に処理するように制御する制御装置を備えていることがさらに望ましい。
【００１９】
また、本発明のフレキシブルコンテナバッグに収容した被処理物の処理システムにおいては、前記搬送装置には、前記フレキシブルコンテナバッグにおける前記被処理物の排出部分に、前記フレキシブルコンテナバッグの搬送方向に向けて下がる段差部が形成されていることが望ましい。
【００２０】
また、本発明のフレキシブルコンテナバッグに収容した被処理物の処理システムにおいては、前記フレキシブルコンテナバッグの搬送方向に交差する方向に沿う障害物が設けられていることが望ましい。
【００２１】
また、本発明のフレキシブルコンテナバッグに収容した被処理物の処理システムにおいては、前記搬送装置のうち前記被処理物の排出部分の下方には、下り傾斜を有する傾斜搬送装置が設けられていることが望ましい。
【００２２】
本発明のフレキシブルコンテナバッグに収容した被処理物の処理方法は、フレキシブルコンテナバッグに収容した被処理物を処理する方法であって、被処理物を収容した複数のフレキシブルコンテナバッグを搬送装置で吊り下げながら順次搬入領域と解袋領域と破砕領域との間で搬送させ、前記解袋領域に搬送されるとともに、前記フレキシブルコンテナバッグを切り開いて前記被処理物を前記フレキシブルコンテナバッグから取り出し、前記破砕領域に搬送されるとともに、前記フレキシブルコンテナバッグを前記搬送装置から受け入れ、前記フレキシブルコンテナバッグとともに前記被処理物を破砕して、前記複数のフレキシブルコンテナバッグに収容した被処理物を前記解袋領域と前記破砕領域のいずれかで連続的に処理することを特徴とする。
【００２３】
また、本発明のフレキシブルコンテナバッグに収容した被処理物の処理方法においては、上記のいずれかのフレキシブルコンテナバッグに収容した被処理物の処理システムを用いて、フレキシブルコンテナバッグに収容した被処理物を処理することが望ましい。
【発明の効果】
【００２４】
本発明のフレキシブルコンテナバッグに収容した被処理物の処理システム及び処理方法においては、解袋領域に搬送されるとともに、不燃物などの被処理物を収容したフレキシブルコンテナバッグを解袋装置で解袋して被処理物を取り出し、破砕領域に搬送されるとともに可燃物などの被処理物を収容したフレキシブルコンテナバッグを破砕装置で破砕して、順次、連続的に且つ自動的に、フレキシブルコンテナバッグに収容した被処理物、被処理物を収容したフレキシブルコンテナバッグを処理してゆくことが可能になる。
【００２５】
これにより、被処理物が例えば除染作業で発生した放射性物質を含む汚染物であっても、作業者がフレキシブルコンテナバッグを切り開き、人力で汚染物の被処理物を取り出すことを不要にすることができる。
【００２６】
また、従来のように被処理物を収容したフレキシブルコンテナバッグを一つずつ処理するのではなく、搬送装置で連続的に搬送しながら処理することができるため、大量の被処理物を効率的に処理してゆくことが可能になる。
【００２７】
よって、本発明のフレキシブルコンテナバッグに収容した被処理物の処理システム及び処理方法によれば、例えば、放射性物質で汚染された土地の除染作業などによって大量に発生し、フレキシブルコンテナバッグに詰めた放射性物質を含む汚染物が被処理物であっても、短時間でフレキシブルコンテナバッグを解袋し、効率よく大量に処理することが可能になる。
【００２８】
また、本発明のフレキシブルコンテナバッグに収容した被処理物の処理システム及び処理方法においては、搬送装置の搬送経路上に解袋装置や破砕装置が配設され、搬送装置によってフレキシブルコンテナバッグが搬送されるとともに、このフレキシブルコンテナバッグを解袋装置が備える例えば切刃やウォータージェット等の解袋手段で切り開き、フレキシブルコンテナバッグから自動的に且つ連続的に被処理物を落下させて、フレキシブルコンテナバッグから被処理物を取り出すことが可能になる。
【００２９】
また、搬送装置で破砕装置に搬送した段階で、フレキシブルコンテナバッグを順次破砕装置に投入し、この破砕装置で破砕処理してゆくことで、自動的に且つ連続的にフレキシブルコンテナバッグとともにフレキシブルコンテナバッグに収容されている被処理物を破砕処理することが可能になる。
【００３０】
さらに、フレキシブルコンテナバッグに目印を設けることにより、解袋装置で処理するフレキシブルコンテナバッグと、破砕装置で処理するフレキシブルコンテナバッグを確実に識別・区別することができ、これにより、より効率的に且つ正確に被処理物を処理することが可能になる。
【図面の簡単な説明】
【００３１】
【図１】本発明の一実施形態に係るフレキシブルコンテナバッグに収容した被処理物の処理システム及び処理方法を示す図である。
【図２】本発明の一実施形態に係るフレキシブルコンテナバッグに収容した被処理物の処理システム及び処理方法を示す図である。
【図３】本発明の一実施形態に係るフレキシブルコンテナバッグに収容した被処理物の処理システムの解袋装置を示す図である。
【図４】本発明の一実施形態に係るフレキシブルコンテナバッグに収容した被処理物の処理システムの破砕装置を示す図である。
【図５】本発明の一実施形態に係るフレキシブルコンテナバッグに収容した被処理物の処理システム及び解袋装置の変更例を示す図である。
【図６】図５の処理システム及び解袋装置の平面図である。
【図７】本発明の一実施形態に係るフレキシブルコンテナバッグに収容した被処理物の処理システム及び解袋装置の変更例を示す図である。
【図８】図７の処理システム及び解袋装置の平面図であり、この解袋装置でフレキシブルコンテナバッグを切り開く方法の一例を示す図である。
【図９】図７の処理システム及び解袋装置の平面図であり、この解袋装置でフレキシブルコンテナバッグを切り開く方法の一例を示す図である。
【図１０】本発明の一実施形態に係るフレキシブルコンテナバッグに収容した被処理物の処理システム及び解袋装置の変更例を示す図である。
【図１１】図１０の処理システム及び解袋装置の平面図である。
【図１２】第２変形例によるフレキシブルコンテナバッグに収容した被処理物の処理システム及び処理方法を示す図であって、図１に対応する図である。
【図１３】第３変形例によるフレキシブルコンテナバッグに収容した被処理物の処理システム及び処理方法を示す図である。
【図１４】第４変形例によるフレキシブルコンテナバッグに収容した被処理物の処理システムを示す平面図であって、図２に対応する図である。
【図１５】第５変形例による搬送装置の要部を示す図である。
【図１６】第６変形例による搬送装置の要部を示す図である。
【図１７】第７変形例による破砕装置の構成を示す斜視図である。
【図１８】第８変形例による搬送装置の要部を示す図である。
【発明を実施するための形態】
【００３２】
以下、図１から図４を参照し、本発明の一実施形態に係るフレキシブルコンテナバッグに収容した被処理物の処理システム及び処理方法について説明する。
【００３３】
ここで、本実施形態は、放射性物質で汚染された土地などを除染して大量に発生する土砂や落葉・落枝、草木などの放射性物質を含む被処理物（汚染物、廃棄物）をフレキシブルコンテナバッグに詰め、この状態の被処理物を処理するための処理システム及び処理方法に関するものである。
【００３４】
はじめに、本実施形態のフレキシブルコンテナバッグは、可撓性を有するシート状部材を用いて形成され、非使用時には折り畳み可能で、使用時（被処理物の収容時）には内容量を大きくして多量の物を収容できる袋体として形成されている。また、このフレキシブルコンテナバッグは、例えば、有底円筒状、有底四角筒状に形成されている。
【００３５】
具体的に、この種のフレキシブルコンテナバッグは、被処理物を収容する胴部及び底部からなる袋体収容部と、袋体収容部に一体に接続され、被処理物を収容した状態で袋体収容部の上部側を閉塞させるための略筒状の袋体蓋部と、袋体収容部及び袋体蓋部を吊り下げるための吊りベルトと、袋体収容部の適所に設けられて袋体収容部を補強するための補強材とを備えて形成されている。
【００３６】
そして、本実施形態では、このようなフレキシブルコンテナバッグに、除染作業で発生した放射性物質を含む（含む可能性がある）落葉・落枝、草木などの可燃物と、土砂や金属などの不燃物とを仕分けしながら収容する。
【００３７】
一方、本実施形態のフレキシブルコンテナバッグに収容した被処理物の処理システムＡは、図１及び図２に示すように、被処理物Ｓ１、Ｓ２を収容した複数のフレキシブルコンテナバッグ１を順次所望の方向に搬送する搬送装置２と、搬送装置２で搬送されたフレキシブルコンテナバッグ１を切り開いて解袋する解袋装置３と、搬送装置２で搬送されたフレキシブルコンテナバッグ１を受け入れて、フレキシブルコンテナバッグ１ごと被処理物Ｓ２を破砕する破砕装置４と、これら搬送装置２と解袋装置３と破砕装置４の駆動を制御する制御装置（不図示）とを備えている。
【００３８】
また、本実施形態の搬送装置２は、被処理物Ｓ１、Ｓ２を収容したフレキシブルコンテナバッグ１の吊りベルト１ａを吊り下げ部２ａに引っ掛けて、フレキシブルコンテナバッグ１を吊り下げ、順次所定の方向に延設された搬送軌道２ｂで吊り下げ部２ａとともにフレキシブルコンテナバッグ１を案内して、被処理物Ｓ１、Ｓ２を収容したフレキシブルコンテナバッグ１を所望の方向に搬送するように構成されている。
【００３９】
さらに、搬送装置２は、フレキシブルコンテナバッグ１を吊り下げる吊り下げ部２ａが所定の間隔をあけて複数設けられ、複数のフレキシブルコンテナバッグ１を複数の吊り下げ部２ａで吊り下げて連続的に搬送できるように構成されている。また、制御装置の制御によって吊り下げ部２ａによるフレキシブルコンテナバッグ１の吊り下げ状態を解除できるように構成されている。すなわち、フレキシブルコンテナバッグ１を所望の位置で自在に落下させることができるように構成されている。
【００４０】
次に、本実施形態の解袋装置３は、図１、図２、図３に示すように、搬送装置２で搬送されているフレキシブルコンテナバッグ１の下端に当接して、フレキシブルコンテナバッグ１を搬送させつつ支持するベルトコンベアなどの搬送支持部３ａと、搬送支持部３ａ及び搬送装置２の吊り下げ部２ａで支持されたフレキシブルコンテナバッグ１を切り開いて解袋する解袋機３ｂとを備えて構成されている。
【００４１】
また、本実施形態の解袋機３ｂは、解袋手段としての切刃３ｃを有し、フレキシブルコンテナバッグ１の下端側をフレキシブルコンテナバッグ１の一部を切断せずに残した状態で水平に切断する。すなわち、有底筒状のフレキシブルコンテナバッグ１の底部を分離させないように水平の切れ目を入れる。
【００４２】
次に、本実施形態の破砕装置４は、図１、図２、図４に示すように、例えば大型２軸破砕機であり、フレキシブルコンテナバッグ１を受けるホッパ部４ａと、ホッパ部４ａで受けたフレキシブルコンテナバッグ１ごと被処理物Ｓ２を破砕する破砕部４ｂと、破砕した被処理物Ｓ２を排出する排出部４ｃとを備えて構成されている。
【００４３】
さらに、本実施形態のフレキシブルコンテナバッグに収容した被処理物の処理システムＡでは、図２に示すように、被処理物Ｓ１、Ｓ２を収容したフレキシブルコンテナバッグ１が搬入される搬入領域Ｒ１と、解袋装置３が配設された解袋領域Ｒ２と、破砕装置４が配設された破砕領域Ｒ３とが設けられ、搬入領域Ｒ１から解袋領域Ｒ２に、解袋領域Ｒ２から破砕領域Ｒ３に、破砕領域Ｒ３から搬入領域Ｒ１に連続的に繋がるように搬送装置２の搬送軌道２ｂが設けられている。
【００４４】
そして、本実施形態のフレキシブルコンテナバッグに収容した被処理物の処理システムＡを用い、除染作業によって発生した放射性物質を含む被処理物Ｓ１、Ｓ２を収容したフレキシブルコンテナバッグ１を処理する際には（本実施形態の処理方法）では、トラックなどでフレキシブルコンテナバッグ１が搬入領域Ｒ１に搬入される。
【００４５】
また、このフレキシブルコンテナバッグ１には、被処理物Ｓ１、Ｓ２を収容した際に、あるいは搬入領域Ｒ１に搬入した後に、不燃物の被処理物Ｓ１を収容したフレキシブルコンテナバッグ１と、可燃物の被処理物Ｓ２を収容したフレキシブルコンテナバッグ１とを識別・区別できるように目印（不図示）が付けられる。この目印は、例えば、処理システムＡの操作者が視認したり、カメラなどで検知できるシールなどの指標（色、形、文字）や、制御装置で制御できるようにＩＣタグ等が適用できる。
【００４６】
また、被処理物Ｓ１、Ｓ２を収容したフレキシブルコンテナバッグ１を処理する際には、搬入領域Ｒ１に搬入されたフレキシブルコンテナバッグ１の吊りベルト１ａを吊り下げ部２ａに引っ掛け、搬送装置２で複数のフレキシブルコンテナバッグ１を順次搬送する。
【００４７】
搬送装置２で搬送されるフレキシブルコンテナバッグ１は、解袋領域Ｒ２に達すると、例えば制御装置などによって、目印を頼りに、可燃物の被処理物Ｓ２を収容したフレキシブルコンテナバッグ１であるか、不燃物の被処理物Ｓ１を収容したフレキシブルコンテナバッグ１であるかが識別される。
【００４８】
不燃物の被処理物Ｓ１を収容したフレキシブルコンテナバッグ１である場合には、図１、図２、図３に示すように、フレキシブルコンテナバッグ１の下端に当接して、解袋装置３の搬送支持部３ａでフレキシブルコンテナバッグ１が支持されるとともに、フレキシブルコンテナバッグ１に解袋機３ｂによってフレキシブルコンテナバッグ１に切れ目が入れられる。このとき、本実施形態では、制御装置によって解袋装置３の駆動が制御される。
【００４９】
フレキシブルコンテナバッグ１が搬送支持部３ａを外れ、搬送装置２の吊り下げ部２ａのみで再度吊り下げられると、フレキシブルコンテナバッグ１の一部を切断せずに残した底部が開放し、自動的に不燃物の被処理物Ｓ１が落下して、フレキシブルコンテナバッグ１から取り出される。これにより、土砂や金属などの不燃物の被処理物Ｓ１がフレキシブルコンテナバッグ１から取り出されるとともに一カ所に集積される。なお、このように集積した不燃物の被処理物Ｓ１は、随時分別したり、除染処理を施すなど、後処理される。
【００５０】
一方、可燃物の被処理物Ｓ２を収容したフレキシブルコンテナバッグ１は、図１、図２、図４に示すように、フレキシブルコンテナバッグ１の下端に当接して、解袋装置３の搬送支持部３ａでフレキシブルコンテナバッグ１が支持された状態でそのまま搬送される。すなわち、可燃物の被処理物Ｓ２を収容したフレキシブルコンテナバッグ１は、解袋装置３の搬送支持部３ａに支持されるだけで、解袋機３ｂによる切断操作が行われない。このため、フレキシブルコンテナバッグ１が搬送支持部３ａを外れ、搬送装置２の吊り下げ部２ａのみで再度吊り下げられても、被処理物Ｓ２が落下せず、そのまま搬送装置２で搬送される。または、解袋装置３の搬送支持部３ａに支持させず、その上部に吊り下げたまま移動してもよい。
【００５１】
そして、この可燃物の被処理物Ｓ２を収容したフレキシブルコンテナバッグ１は、破砕領域Ｒ３に搬送されると、制御装置によって吊り下げ状態が解除され、破砕装置４のホッパ部４ａに落下して投入される。破砕装置４の破砕部４ｂでフレキシブルコンテナバッグ１ごと被処理物Ｓ２が破砕され、所定の大きさ、粒度で配された破砕片が排出部４ｃから排出される。
【００５２】
また、不燃物の被処理物Ｓ１が取り出された後のフレキシブルコンテナバッグ１も破砕装置４のホッパ部４ａに投入され、同様に破砕処理される。
【００５３】
なお、このように処理された後の可燃物の被処理物Ｓ２の破砕片は、焼却するなど後処理される。
【００５４】
上記のように、本実施形態のフレキシブルコンテナバッグに収容した被処理物の処理システムＡ及び処理方法では、搬入領域Ｒ１で被処理物Ｓ１、Ｓ２を収容したフレキシブルコンテナバッグ１を搬送装置２にセットし、搬送装置２によって不燃物や可燃物の被処理物Ｓ１、Ｓ２を収容した複数のフレキシブルコンテナバッグ１を連続して解袋領域Ｒ２と破砕領域Ｒ３に搬送させる。
【００５５】
そして、解袋領域Ｒ２に搬送されるとともに、不燃物の被処理物Ｓ１を収容したフレキシブルコンテナバッグ１を解袋装置３で解袋して被処理物Ｓ１を取り出し、破砕領域Ｒ３に搬送されるとともに可燃物の被処理物Ｓ２を収容したフレキシブルコンテナバッグ１を破砕装置４で破砕して、順次、連続的に且つ自動的に、フレキシブルコンテナバッグ１に収容した被処理物Ｓ１、Ｓ２、被処理物Ｓ１、Ｓ２を収容したフレキシブルコンテナバッグ１を処理してゆくことが可能になる。
【００５６】
これにより、本実施形態のフレキシブルコンテナバッグに収容した被処理物の処理システムＡ及び処理方法においては、被処理物Ｓ１、Ｓ２が例えば除染作業で発生した放射性物質を含む汚染物であっても、作業者がフレキシブルコンテナバッグ１を切り開き、人力で汚染物の被処理物Ｓ１、Ｓ２を取り出すことを不要にすることができる。
【００５７】
また、従来のように被処理物Ｓ１、Ｓ２を収容したフレキシブルコンテナバッグ１を一つずつ処理するのではなく、搬送装置２で連続的に搬送しながら処理することができるため、大量の被処理物Ｓ１、Ｓ２を効率的に処理してゆくことが可能になる。
【００５８】
さらに、本実施形態のフレキシブルコンテナバッグに収容した被処理物の処理システムＡ及び処理方法においては、搬送装置２の搬送経路上に解袋装置３や破砕装置４が配設されている。また、解袋装置３が、搬送装置２で搬送されているフレキシブルコンテナバッグ１の下端に当接して、搬送装置２の吊り下げ部２ａとともにフレキシブルコンテナバッグ１を支持する搬送支持部３ａと、搬送支持部３ａで支持しつつ搬送されるフレキシブルコンテナバッグ１を切り開く解袋機３ｂとを備えている。
【００５９】
これにより、搬送装置２によってフレキシブルコンテナバッグ１が解袋装置３に搬送されるとともに、フレキシブルコンテナバッグ１を解袋機３ｂで切り開き、このフレキシブルコンテナバッグ１が搬送支持部３ａを外れるとともに、フレキシブルコンテナバッグ１から自動的に被処理物Ｓ１を落下させて、連続的にフレキシブルコンテナバッグ１から被処理物Ｓ１を取り出すことが可能になる。
【００６０】
また、搬送装置２で破砕装置４に搬送した段階で、フレキシブルコンテナバッグ１を順次破砕装置４に投入し、この破砕装置４で破砕処理してゆくことで、自動的に且つ連続的にフレキシブルコンテナバッグ１とともにフレキシブルコンテナバッグ１に収容されている被処理物Ｓ２を破砕処理することが可能になる。
【００６１】
さらに、フレキシブルコンテナバッグ１に目印を設けることにより、解袋装置３で処理するフレキシブルコンテナバッグ１と、破砕装置４で処理するフレキシブルコンテナバッグ１を確実に識別・区別することができ、これにより、より効率的に且つ正確に被処理物Ｓ１、Ｓ２を処理することが可能になる。
【００６２】
よって、本実施形態のフレキシブルコンテナバッグに収容した被処理物の処理システムＡ及び処理方法によれば、例えば、放射性物質で汚染された土地の除染作業などによって大量に発生し、フレキシブルコンテナバッグ１に詰めた放射性物質を含む汚染物が被処理物Ｓ１、Ｓ２であっても、短時間でフレキシブルコンテナバッグ１を解袋し、効率よく大量に処理することが可能になる。
【００６３】
以上、本発明に係るフレキシブルコンテナバッグに収容した被処理物の処理システム及び処理方法の一実施形態について説明したが、本発明は上記の一実施形態に限定されるものではなく、その趣旨を逸脱しない範囲で適宜変更可能である。
【００６４】
例えば、本実施形態では、放射性物質で汚染された汚染物を被処理物Ｓ１、Ｓ２としてフレキシブルコンテナバッグ１に収容し、これを処理するものとして説明を行ったが、本発明に係る処理システム及び処理方法は、フレキシブルコンテナバッグ１に収容した被処理物Ｓ１、Ｓ２であれば、あらゆる被処理物Ｓ１、Ｓ２の処理に適用可能である。すなわち、本発明は、除染作業などで発生した放射性物質を含む汚染物に限定して用いる必要はない。
【００６５】
また、本実施形態では、搬送装置２の搬送軌道２ｂが、搬入領域Ｒ１から解袋領域Ｒ２、解袋領域Ｒ２から破砕領域Ｒ３、破砕領域Ｒ３から搬入領域Ｒ１に連続して設けられているものとしたが、例えば、搬入領域Ｒ１から解袋領域Ｒ２、解袋領域Ｒ２から搬入領域Ｒ１に往復する搬送軌道と、搬入領域Ｒ１から破砕領域Ｒ３、破砕領域Ｒ３から搬入領域Ｒ1に往復する搬送軌道とを個別に設けて処理システムＡを構成してもよい。この場合においても、搬入領域Ｒ１で不燃物と可燃物を収容したフレキシブルコンテナバッグ１を区分して、各搬送軌道に選択的にのせて搬送させることで、本実施形態と同様に、連続的に且つ自動的に被処理物Ｓ１、Ｓ２を処理することが可能である。
【００６６】
さらに、本実施形態では、解袋装置３のフレキシブルコンテナバッグ１に切れ目を入れる解袋手段が切刃３ｃであるものとして説明を行ったが、本発明に係る解袋手段は切刃３ｃに限定する必要はない。例えばウォータージェットやレーザー、溶断手段などを解袋手段として適用し、フレキシブルコンテナバッグ１に切れ目を入れる（解袋する）ようにしてもよい。すなわち、フレキシブルコンテナバッグ１に切れ目を入れて被処理物Ｓ１を取り出すことができれば、あらゆる手段が解袋手段として適用可能であり、特に解袋手段を限定する必要はない。
【００６７】
また、本実施形態では、解袋機３ｂによってフレキシブルコンテナバッグ１の下端側に水平方向に切れ目を入れてフレキシブルコンテナバッグ１を切り開き、被処理物Ｓ１を取り出すように説明を行った。
【００６８】
これに対し、図５及び図６に示すように、解袋装置３が、搬送支持部３ａに下端を当接させて搬送支持されているフレキシブルコンテナバッグ１の底部（下面）に切れ目を入れてフレキシブルコンテナバッグ１を切り開き、被処理物Ｓ１を取り出すように構成されていてもよい。この場合においても、本実施形態と同様の作用効果を得ることが可能である。
【００６９】
また、このとき、切刃３ｃなどの解袋手段を複数備え、フレキシブルコンテナバッグ１の底部（下面）に十字状の切れ目、複数の切れ目を入れるようにしてもよい。この場合には、本実施形態と同様の作用効果を得ることが可能になるとともに、フレキシブルコンテナバッグ１の下面を開放させて被処理物Ｓ１を自動的に落下させ、好適に被処理物Ｓ１を取り出すことが可能になる。
【００７０】
さらに、図７に示すように、２台の搬送支持部３ａを並設し、その間に解袋機３ｂを設けて解袋装置３を構成してもよい。
そして、この場合には、図８に示すように、一方の搬送支持部３ａでフレキシブルコンテナバッグ１が解袋機３ｂ上に搬送された段階で、解袋機３ｂの切刃３ｃ（解袋手段）で一方向の切れ目を入れ、フレキシブルコンテナバッグ１を回転させて、再度解袋機３ｂの切刃３ｃ（解袋手段）で一方向の切れ目を入れることで、フレキシブルコンテナバッグ１の底部（下面）に、十字状の切れ目（交差した切れ目）を入れることができる。
【００７１】
さらに、図９に示すように、一方の搬送支持部３ａから他方の搬送支持部３ａにフレキシブルコンテナバッグ１を搬送しながら、解袋機３ｂの切刃３ｃ（解袋手段）を一方向に移動させることで、フレキシブルコンテナバッグ１の底部に斜めの直線状の切れ目を入れる。次に、逆に、他方の搬送支持部３ａから一方の搬送支持部３ａにフレキシブルコンテナバッグ１を搬送しながら、解袋機３ｂの切刃３ｃ（解袋手段）を一方向に移動させ、フレキシブルコンテナバッグ１の底部に斜めの直線状の切れ目を入れる。
このように解袋装置３を構成・制御することによっても、フレキシブルコンテナバッグ１の底部（下面）に、十字状の切れ目（交差した切れ目）を入れることができる。
なお、３台の搬送支持部３ａを並設し、それぞれの搬送支持部３ａの間に切刃３ｃを設置して、それぞれ逆方向に移動させることにより、フレキシブルコンテナバッグ１を図９のように往復させず、連続搬送しながら十字の切れ目（交差した切れ目）を入れるように構成してもよい。
【００７２】
一方、本実施形態では、解袋装置３が搬送支持部３ａと解袋機３ｂを備えて構成されているものとしたが、図１０に示すように、搬送支持部３ａを具備せず、解袋機３ｂを備えて解袋装置３を構成してもよい。
この場合には、図１０及び図１１に示すように、搬送装置２で吊り下げてフレキシブルコンテナバッグ１が解袋機３ｂ上の所定位置に搬送されるとともに、フレキシブルコンテナバッグ１の底部に解袋機３ｂの切刃（解袋手段）３ｃで切れ目が入れられ、フレキシブルコンテナバッグ１の底部を開放させ、被処理物Ｓ１を取り出すことができる。また、交差する方向に切刃（解袋手段）３ｃをそれぞれ往復移動させる複数の解袋機３ｂを設け、タイミングをずらして各解袋機３ｂの切刃３ｃを移動させることで、十字状の切れ目を入れることができる。
【００７３】
また、図１２に示すように、搬送装置２に段差部２ｃを形成し、被処理物Ｓ１の自重および段差部２ｃの段差による落下エネルギーを利用して内容物（被処理物Ｓ１）を確実に排出できるように構成するようにしてもよい。
また、搬送装置２の別の事例としては、フレキシブルコンテナバッグ１を搬送装置２に吊り下げて搬送し、被処理物Ｓ１を落下させた後、フレキシブルコンテナバッグ１の進行方向（搬送方向）に交差する方向に沿って棒状の障害物（不図示）を設置する構成でもよい。このように棒状の障害物を設置することにより、フレキシブルコンテナバッグ１に残留処理物があった場合であっても、フレキシブルコンテナバッグ１が障害物に当接し、それを乗り越えた際に、フレキシブルコンテナバッグ１に大きな衝撃が加わるため、残留処理物を確実に排出することができる。
【００７４】
さらに、搬送装置２において、図１３に示すように、搬送装置２のうち被処理物Ｓ１の排出部の下方に下り傾斜を有する傾斜ベルトコンベア５（傾斜搬送装置）を配置した構成としてもよい。この場合、被処理物Ｓ１が徐々にフレキシブルコンテナバッグ１から排出されるので、傾斜ベルトコンベア５上に取り出された被処理物Ｓ１の山の高さを抑えることができるうえ、被処理物Ｓ１の排出時の落下高さも抑えることができるので、落下時の被処理物Ｓ１の周囲への飛散を少なくすることができる。
なお、下りの傾斜ベルトコンベア５に代えて、下り傾斜面を有するシュート（傾斜搬送装置）であってもよい。この場合には、フレキシブルコンテナバッグ１から取り出された被処理物Ｓ１が自重でシュートを滑り落ちるので前述と同様に被処理物Ｓ１の飛散を防止することができる。
【００７５】
さらにまた、図１４に示すように、本実施形態の前述の図１に示す処理システムＡの全体を建屋やテント等のカバー壁６で覆うようにしても良い。この場合、カバー壁６によって外部環境と処理システムＡとを分離することができるので、本処理システムＡで発生するフレキシブルコンテナバッグ１からの被処理物Ｓ１、Ｓ２の排出時や破砕装置４による破砕時に発生する被処理物Ｓ２や粉塵が外部に飛散し、拡散するのを防止することができる。とくに、解袋装置３の解袋機３ｂ（図１参照）としてウォータージェットを使用する場合には、周囲への飛散が伴うために効果的である。
【００７６】
また、フレキシブルコンテナバッグ１からの被処理物Ｓ１の取り出し時において、図１５及び図１６に示す被処理物Ｓの飛散防止対策を行うようにしても良い。
図１５に示す構造は、搬送装置２で吊り下げられたフレキシブルコンテナバッグ１の開放部付近に水を噴霧する噴霧ノズル７１を設けたものである。この噴霧ノズル７１は、取り出された被処理物Ｓ１の上方から噴霧されるように配置されている。
そして、図１６に示す構造は、フレキシブルコンテナバッグ１より取り出される被処理部Ｓ１の位置を覆うように排出用の開口部７２ａを有する飛散防止カバー７２を設けたものである。
【００７７】
さらに、本実施形態の破砕設備４は粉塵の飛散量が大きく、且つ汚染水による悪臭発生する領域となることから、図１７に示すように、この領域にテント等の飛散防止カバー８を設けるようにしても良い。さらに、図１７では、飛散防止カバー８に集塵ファンや消臭ファン等の空気浄化装置８１を連結配管８２を介して設置し、飛散防止カバー８内の空気を浄化した後に排気する設備を設けた構成となっている。
なお、カバーなどを設けない場合には、臭気発生源に吸込口を設け、局所ファンで吸込み、空気浄化装置を経由して排気するように構成してもよい。
【００７８】
さらにまた、図１８に示すように、解袋装置３の搬送支持部３ａの下方に配置されるとともに排出口９１ａを有する集水受け部９１と、集水受け部９１で受けた汚染水を溜める集水槽９２（例えば、集水パン）を設けるようにしても良い。この場合、集水受け部９１は、搬送支持部３ａの全領域にわたる下方に設けられていることが好ましく、搬送支持部３ａで支持するフレキシブルコンテナバッグ１の切開時に発生する汚染水等の余剰水を外部に飛散させることなく受けて集水することができる。なお、集水槽９２で集めた汚染水は、浄化した後、再利用することも可能である。
この場合、とくに解袋装置３の解袋機３ｂとしてウォータージェットを使用する場合には、周囲への飛散が伴うために効果的である。
【符号の説明】
【００７９】
１      フレキシブルコンテナバッグ
１ａ    吊りベルト
２      搬送装置
２ａ    吊り下げ部
２ｂ    搬送軌道
２ｃ    段差部
３      解袋装置
３ａ    搬送支持部
３ｂ    解袋機
３ｃ    切刃（解袋手段）
４      破砕装置
５      傾斜ベルトコンベア（傾斜搬送装置）
４ａ    ホッパ部
４ｂ    破砕部
４ｃ    排出部
Ａ      フレキシブルコンテナバッグに収容した被処理物の処理システム
Ｒ１    搬入領域
Ｒ２    解袋領域
Ｒ３    破砕領域
Ｓ１    被処理物
Ｓ２    被処理物
【図１】
2015155882.tif 000003
【図２】
2015155882.tif 000004
【図３】
2015155882.tif 000005
【図４】
2015155882.tif 000006
【図５】
2015155882.tif 000007
【図６】
2015155882.tif 000008
【図７】
2015155882.tif 000009
【図８】
2015155882.tif 000010
【図９】
2015155882.tif 000011
【図１０】
2015155882.tif 000012
【図１１】
2015155882.tif 000013
【図１２】
2015155882.tif 000014
【図１３】
2015155882.tif 000015
【図１４】
2015155882.tif 000016
【図１５】
2015155882.tif 000017
【図１６】
2015155882.tif 000018
【図１７】
2015155882.tif 000019
【図１８】
2015155882.tif 000020